(57)【要約】【課題】圃場をより均平に均すことができる牽引型の土壌消毒機を提供する。【解決手段】トラクタ２に牽引され、圃場に薬液を注入する土壌消毒機１であって、トラクタ２の後方に配置され、薬液が注入された後の圃場の表面を均す均平板５５と、均平板５５の前側面に配置され、その左右へ土壌を分配するとともに、その後方へ所定量の土壌を通過させる分配部１００と、を具備し、その分配部１００には、後方から前方に向けてその幅が小さくなる先鋭形状に形成され、その下端の高さは均平板５５の下端より高い位置に配置される分配部材１１０を具備した。【選択図】図１
2011067109.tif 000002
【特許請求の範囲】
【請求項１】
牽引走行車に牽引され、圃場に薬液を注入する土壌消毒機であって、
前記牽引走行車の後方に配置され、薬液が注入された後の圃場の表面を均す均平板と、
前記均平板の前側面に配置され、土壌を左右へ分配するとともに、所定量の土壌を後方へ通過させる分配部と、
を具備する土壌消毒機。
【請求項２】
前記分配部は分配部材を具備し、
前記分配部材は、
後方から前方に向けて幅が小さくなる先鋭形状に形成されるとともに、下端の高さが前記均平板の下端より高い位置に配置される請求項１に記載の土壌消毒機。
【請求項３】
前記分配部材は、
左右方向幅を変更可能に構成される請求項２に記載の土壌消毒機。
【請求項４】
前記分配部材の左右一対の側面に沿って、当該側面の下端よりも下方へ突出させることが可能な突出板を設ける請求項２又は請求項３に記載の土壌消毒機。
【請求項５】
前記均平板の前側面の両端部に配置され、均平板の内側へ土壌を導く補助板を具備する請求項１から請求項４までのいずれか一項に記載の土壌消毒機。
【発明の詳細な説明】
【技術分野】
【０００１】
本発明は、園芸作物や野菜等の栽培を良好にするために、牽引走行車に牽引され圃場に薬液を注入する土壌消毒機の技術に関し、特に、薬液の効果を高めるために、薬液注入後の圃場を均す技術に関する。
【背景技術】
【０００２】
従来、トラクタや管理機等の牽引走行車に牽引され、園芸作物や野菜等を栽培するための圃場に薬液を注入した後に、圃場を均す土壌消毒機の技術は公知となっている。このような土壌消毒機の技術としては、特許文献１に記載の技術が知られている。
【０００３】
特許文献１に記載の土壌消毒機は、アームと、前記アームに上下回動自在に支持される均平板と、前記均平板を下方に付勢するスプリングと、を具備するものである。このような構成において、前記均平板の下端が圃場に接した状態で、前記土壌消毒機が牽引された場合、前記均平板により圃場を整地して均平にすることができる。
【０００４】
しかし、牽引走行車により前記土壌消毒機を牽引する場合、前記牽引走行車の後輪が通過することによって圃場に轍が形成されるとともに、前記後輪間には圃場の土が寄せられて盛り上がった部分（以下、単に「寄り土部」と記す）が形成される場合がある。このような場合、前記均平板によっては、前記轍を完全に埋めて、圃場を均平にすることができない場合があった。その結果、轍の跡から薬液が気化したガスが抜けることで、薬液の効果にむらが生じることがあった。
【先行技術文献】
【特許文献】
【０００５】
【特許文献１】特開平７−２３６８６号公報
【発明の概要】
【発明が解決しようとする課題】
【０００６】
本発明は、以上の如き状況を鑑みてなされたものであり、圃場をより均平に均すことができる土壌消毒機を提供するものである。
【課題を解決するための手段】
【０００７】
本発明の解決しようとする課題は以上の如くであり、次にこの課題を解決するための手段を説明する。
【０００８】
即ち、請求項１においては、牽引走行車に牽引され、圃場に薬液を注入する土壌消毒機であって、前記牽引走行車の後方に配置され、薬液が注入された後の圃場の表面を均す均平板と、前記均平板の前側面に配置され、土壌を左右へ分配するとともに、所定量の土壌を後方へ通過させる分配部と、を具備するものである。
【０００９】
請求項２においては、前記分配部は分配部材を具備し、前記分配部材は、後方から前方に向けて幅が小さくなる先鋭形状に形成されるとともに、下端の高さが前記均平板の下端より高い位置に配置されるものである。
【００１０】
請求項３においては、前記分配部材は、左右方向幅を変更可能に構成されるものである。
【００１１】
請求項４においては、前記分配部材の左右一対の側面に沿って、当該側面の下端よりも下方へ突出させることが可能な突出板を設けるものである。
【００１２】
請求項５においては、前記均平板の前側面の両端部に配置され、均平板の内側へ土壌を導く補助板を具備するものである。
【発明の効果】
【００１３】
本発明の効果として、以下に示すような効果を奏する。
【００１４】
請求項１においては、分配部によって、土壌を左右及び後方へと分配することができる。これによって、予め均平板の幅方向全域に土壌を分配し、その後、均平板によって圃場の表面を均すことで、当該均平板のみによって圃場を均す場合に比べて、より均平に圃場を均すことができる。
【００１５】
請求項２においては、前方から後方に向けて幅が大きくなる分配部材の外縁に沿って土壌を左右へと分配することができる。また、土壌を、分配部材の下方を通して、当該分配部材の後方へ通過させることができる。これによって、均平板の幅方向全域に土壌を分配することができる。
【００１６】
請求項３においては、均平部材の幅を変更することにより、寄り土部の土壌を任意の幅まで分配することができる。これによって、均平部材の幅を、牽引走行車の車輪間の幅と略同一に調節することにより、牽引走行車の車輪により形成された轍に土壌を流入させることができる。また、土壌消毒機を、左右の車輪間の幅が異なる牽引走行車に装着する場合、分配部材の幅を当該牽引走行車の車輪間の幅に合わせて調節することができ、汎用性を向上させることができる。
【００１７】
請求項４においては、突出板を分配部材の下方へ突出させることにより、当該突出板によっても土壌を分配することができ、分配部材のみの場合に比べて、左右に分配する土壌の量を増加させることができる。これによって、圃場の状態に合わせて左右に分配する土壌の量を調節することができ、より均平に圃場を均すことができる。
【００１８】
請求項５においては、均平板の両端から内側へと土壌を導くことで、土壌が均平板の外側に流出することを防止し、均平板によって圃場を確実に均すことができる。また、轍を均平に均すのに十分な量の土壌を、当該轍へ流入させることができない場合であっても、補助板により均平板の両端から内側へと導かれる土壌を当該轍へ流入させることで、当該轍を確実に均すことができる。
【図面の簡単な説明】
【００１９】
【図１】本発明の一実施例に係る土壌消毒機の全体構成を示す側面図。
【図２】土壌消毒機の装着部及び薬液注入部を示す斜視図。
【図３】薬液ポンプ及び駆動輪の配置を示す斜視図。
【図４】土壌均平部の構成を示す斜視図。
【図５】薬液注入爪の衝撃緩和機構を示す説明図、（ａ）は衝撃を受ける前の爪支持状況を示す説明図、（ｂ）は衝撃を受けた後の爪支持状況を示す説明図。
【図６】薬液ポンプとその駆動構成を示す側面一部断面図。
【図７】均平板及び分配部の第一実施形態を示す斜視図。
【図８】第一実施形態における均平作業の様子を示す概略図、（ａ）は側面図、（ｂ）は平面図。
【図９】均平板及び分配部の第二実施形態を示す斜視図。
【図１０】第二実施形態における均平作業の様子を示す平面概略図、（ａ）は分配部の幅を狭く調節した場合、（ｂ）は分配部の幅を広く調節した場合。
【図１１】均平板及び分配部の第三実施形態を示す斜視図、（ａ）は突出板の取り付けの様子を示した図、（ｂ）は突出板を下方に突出させた様子を示した図。
【図１２】均平板及び分配部の第四実施形態を示す斜視図。
【図１３】第四実施形態における均平作業の様子を示す平面概略図。
【図１４】スタンドの構成を示す斜視図。
【図１５】スタンドにより支持される土壌消毒機を示す側面概略図。
【図１６】スタンドの取り付け高さを変更した後の土壌消毒機を示す側面概略図。
【図１７】スタンドにより前傾姿勢に支持される土壌消毒機を示す側面概略図。
【図１８】土壌消毒機とクイックフレームとの位置を合わせた状態を示す側面概略図。
【図１９】クイックフレームを介して土壌消毒機を連結した状態を示す側面概略図。
【発明を実施するための形態】
【００２０】
以下では、本発明に係る土壌消毒機の実施の一形態である土壌消毒機１について説明する。
【００２１】
図１に示すように、土壌消毒機１は、牽引走行車であるトラクタ２の後部に、昇降機構３を介して昇降可能に連設される。昇降機構３は、左右一対のロワリンク４・４及びトップリンク５、並びにロワリンク４・４及びトップリンク５に連結されるクイックフレーム６を具備する。なお、土壌消毒機１が連設されるのは本実施形態に示すトラクタ２に限るものではなく、その他の管理機等、土壌消毒機１を牽引して圃場の消毒作業を行うことができるものであればよい。
【００２２】
図１及び図２に示すように、クイックフレーム６は、略三角形状に構成されたフレームであり、上端に位置する１つの頂点部には、上方に向かって開口した上部切り欠き部７ａを有する上部連結部７が、また、左右下端に位置する２つの頂点部には、後方に向かって開口した下部切り欠き部８ａを有する下部連結部８が、それぞれ固設される。トップリンク５の後端は上部連結部７に、ロワリンク４・４の後端は下部連結部８に、それぞれ連結される。
【００２３】
土壌消毒機１は、昇降機構３に土壌消毒機１を装着するための装着部１０、薬液を土壌中に注入するための薬液注入部２０、及び薬液注入後の土壌を均平するための土壌均平部５０より構成される。なお、土壌均平部５０は、薬液注入後の圃場を鎮圧ローラ７５により鎮圧する全面鎮圧型であっても、薬液注入後の圃場にマルチフィルムを張って薬液を圃場中に保持させるマルチ型であってもよい。以下の実施形態における土壌均平部５０は、土壌消毒機１の全長を比較的短く構成することができる全面鎮圧型として説明する。
【００２４】
装着部１０においては、左右一対の側板１１・１１が互いに平行に対向配置され、側板１１・１１の上端部間は連結フレーム１２によって連結され、連結フレーム１２の左右略中央部から前斜め上方に向かってトップリンクマスト１３が立設されている。さらに、側板１１・１１の前端部には、それぞれ連結ピン１１ａ・１１ａが左右外方に向かって突設され、連結ピン１１ａ・１１ａが下部切り欠き部８ａにそれぞれ係止されることにより、クイックフレーム６の下部連結部８がそれぞれ装着部１０に連結される。また、トップリンクマスト１３の上端部には、連結ピン１３ａが横架され、連結ピン１３ａが上部切り欠き部７ａに係止されることにより、クイックフレーム６の上部連結部７が装着部１０に連結される。このようにして、トラクタ２の昇降機構３に設けたクイックフレーム６により、土壌消毒機１を昇降可能に支持しながら確実に牽引できるようにしている。
【００２５】
薬液注入部２０には、平面視で横長の矩形状に形成された機枠２１が水平に配置され、機枠２１は、対向配設された左右一対の板状のメインフレーム２１Ｌ・２１Ｒと、メインフレーム２１Ｌ・２１Ｒの前端部間・後端部間をそれぞれ連結支持する角パイプ状の前後の前支持フレーム２１Ｆ及び後支持フレーム２１Ｂとにより構成される。そして、前支持フレーム２１Ｆの前面には、２枚の前取付板２３・２３が前方に突設され、前取付板２３・２３の外側に、側板１１・１１が重ねられてボルト等で締結される一方、後支持フレーム２１Ｂの左右略中央の上面には、後取付板２４が立設され、後取付板２４の上端部は、連結ステー２５を介してトップリンクマスト１３の上下中途部に連結されている。これにより、機枠２１を装着部１０に強固に連結支持することができる。
【００２６】
機枠２１の内側において、左右一対の縦フレーム２６・２６が後支持フレーム２１Ｂから前方へ突設され、縦フレーム２６・２６上に、前斜め下方に保持された左右の薬液タンク載置台２７・２７（図１参照）が固定されており、薬液タンク載置台２７・２７上に、それぞれ薬液タンク２８・２８が載置されている。
【００２７】
機枠２１の前支持フレーム２１Ｆには、サブソイラ支持部材２９・２９を介して左右一対のサブソイラ３０・３０が下方に延設される。サブソイラ支持部材２９・２９は機体左右方向位置を調節可能に構成されており、その左右方向位置は、サブソイラ３０・３０がそれぞれトラクタ２の後輪９・９の後方に位置するように調節される。また、サブソイラ３０・３０の下方へ延設される部分の長さは、後輪９・９により踏み固められた土壌に突き刺さる程度の長さに調節される。このように構成することにより、土壌消毒機１がトラクタ２に牽引されると、後輪９・９に踏み固められた土壌を、サブソイラ３０・３０によって掘り返し、再び軟らかい土壌にすることができる。
【００２８】
機枠２１の後支持フレーム２１Ｂからは、薬液注入爪３１・３１・・・が土壌に向かって前斜め下方に延設され、複数の薬液注入爪３１・３１・・・が機体左右方向に複数列（本実施例では４列）並設されている。薬液注入爪３１・３１・・・の後部には、土壌に薬液を注入するための薬液ノズル３２・３２・・・が固設される。さらに、後支持フレーム２１Ｂの後面には、左右一対の均平フレーム５１・５１が固設される。
【００２９】
なお、本実施形態においては、薬液注入爪３１・３１・・・は左右方向に並設される構成としたが、これに限るものではなく、隣り合う薬液注入爪３１同士を前後方向に任意の距離だけずらして配置する構成とすることも可能である。このように構成することにより、隣り合う薬液注入爪３１・３１間の距離を大きくとることができ、当該薬液注入爪３１・３１間を土壌が通過し易くなるため、土壌消毒機１が当該土壌から受ける抵抗力を減少させることができる。
【００３０】
図３に示すように、均平フレーム５１の前端下部には、駆動輪支持フレーム３３の前端上部がそれぞれ固設される。駆動輪支持フレーム３３の前後中途部には、ポンプ支持フレーム３４が立設され、ポンプ支持フレーム３４の上端に横設されるポンプ支持ステー３５を介して薬液ポンプ３６が配設される。また、薬液ポンプ３６の下方には、駆動輪回動軸３７を介して駆動輪支持フレーム３３に回動可能に支持される駆動輪３８が配設される。本実施形態においては、薬液注入爪３１・３１・・・と同数、すなわち、左右のポンプ支持フレーム３４に対してそれぞれ２つずつ、計４つの薬液ポンプ３６・３６・・・及び駆動輪３８・３８・・・が設けられる。
【００３１】
図１及び図２に示すように、機枠２１の左右略中央部の上方には、薬液ポンプ３６と同数の薬液流確認計３９を機体左右方向に並設固定した側面視Ｌ字状の取付プレート４０が配置され、取付プレート４０はポール４１の上端部に固設され、ポール４１の下端部は、後支持フレーム２１Ｂの左右略中央部に固定されたポール取付部材４２上に立設されている。そして、図１に示すように、薬液タンク２８と薬液ポンプ３６との間は吸入ホース４３によって接続され、薬液ポンプ３６と薬液流確認計３９との間は吐出ホース４４によって接続され、薬液流確認計３９と薬液ノズル３２との間は注入ホース４５によって接続されている。
【００３２】
このような構成において、薬液タンク２８内の薬液は、薬液ポンプ３６によって吸引され、薬液タンク２８、吸入ホース４３、薬液ポンプ３６、吐出ホース４４、薬液流確認計３９、及び注入ホース４５を介して、薬液注入爪３１・３１・・・の薬液ノズル３２・３２・・・まで圧送されるようにしている。
【００３３】
また、図４に示すように、土壌均平部５０においては、左右の均平フレーム５１・５１の前後中途部に固定部材５２を介して均平板ステー５３が垂設され、均平板ステー５３の下端部には、均平板回動軸５４を介して均平板５５が上下回動可能に支持される。均平板ステー５３の上下中途部には、後方に向けてアーム５６が延設され、アーム５６の後端と均平板５５の後側面に設けられる取付部５５ａとがロッド５７により連結される。また、アーム５６と取付部５５ａとの間において、スプリング５８がロッド５７に挿通され、スナップピン等により任意の位置に固定される。スプリング５８により均平板５５が下方に向かって付勢され、当該付勢力は、スプリング５８の両端の固定位置を変更することにより調節することができる。均平板５５の前側面の左右略中央部には、分配部１００が配設される。上記の構成において、固定部材５２の均平フレーム５１に対する前後方向取り付け位置を変更することにより、均平板５５の前後方向位置を調節することができる。また、均平板ステー５３の固定部材５２に対する上下方向取り付け位置を変更することにより、均平板５５の上下方向位置を調節することができる。
【００３４】
さらに、左右の均平フレーム５１・５１の後端には、横フレーム７０が機体左右方向に横架される。より詳細には、均平フレーム５１・５１の後端を上下に貫通する貫通孔５１ａと、横フレーム７０を上下に貫通する図示せぬ貫通孔と、を平面視において重ねた状態で、当該貫通孔５１ａ等にピン５１ｂを挿通することにより、均平フレーム５１・５１と横フレーム７０とが連結される。横フレーム７０の左右両端には、一対の連結ステー７１・７１の前端が上下回動可能に支持され、当該連結ステー７１・７１の後端には、ローラフレーム７２が横架される。横フレーム７０の左右略中央部と、ローラフレーム７２の左右略中央部との間には、ローラスプリング７３が配設され、ローラスプリング７３の付勢力により、ローラフレーム７２は下方へ向かって付勢される。ローラフレーム７２の左右両端には、下方に向けて一対のローラ支持ステー７４・７４が延設され、当該ローラ支持ステー７４・７４の下端間に、鎮圧ローラ７５の車軸７５ａが回動可能に支持されている。このような構成において、鎮圧ローラ７５がローラフレーム７２とともに上下に回動可能であり、かつ、ローラスプリング７３の付勢力により下方へ向かって付勢されるため、当該鎮圧ローラ７５によって土壌表面を加圧することができ、圃場に注入された薬液の発散を防止することができる。また、ローラスプリング７３の上下端部の固定位置を変更することによって、鎮圧ローラ７５を下方へと付勢する力を調節することができ、ひいては鎮圧ローラ７５による土壌表面への加圧力を調節することができる。
【００３５】
なお、ローラ支持ステー７４・７４の後方への突出端の間には、スクレーパ７６も支持されている。スクレーパ７６は、角柱状の部材で構成され、鎮圧ローラ７５の外周面に近接するように配置されており、土壌の含水比が高くて土が付着しやすい場合等に、スクレーパ７６によって鎮圧ローラ７５の表面に付着した土を除去することができ、鎮圧作業の能率が低下しないようにしている。
【００３６】
このような構成において、薬液注入爪３１・３１・・・の薬液ノズル３２・３２・・・によって薬液が注入された薬液注入位置の上方の土壌表面は、その凹凸が均平板５５によって均された後、鎮圧ローラ７５によって鎮圧されて固められ、土壌内の気化した薬液が空気中へ拡散しないようにすることができる。
【００３７】
次に、薬液注入爪３１・３１・・・の取り付け構造について詳細に説明する。
【００３８】
図５に示すように、薬液注入爪３１は、後支持フレーム２１Ｂの後面より後方に突設した側面視前後逆Ｌ字状の爪支持板４６に、上下のボルト４７・４８によって締結固定されている。薬液注入爪３１の上部には上下のボルト４７・４８を挿通可能な複数の取付孔３１ａが一定間隔をあけて穿孔されるとともに、爪支持板４６にも図示せぬ取付孔が穿孔されており、薬液注入爪３１を斜めに上下に移動させて任意の高さで締結固定し、薬液注入爪３１の支持高さを段階的に調節できるようにしている。
【００３９】
さらに、上下のボルト４７・４８のうち、一方のボルト、本実施例では上側に配置される方のボルト４７に、他方のボルト４８よりも強度が小さいものが用いられており、土壌中に石等の障害物１２０が存在し、障害物１２０が薬液注入爪３１に衝突すると、その際の衝突力により、強度が小さい上のボルト４７の方が先に折損し、残った下のボルト４８を中心にして、薬液注入爪３１の先部が位置１２１から位置１２２まで後方に回動する。これにより、障害物１２０は薬液注入爪３１の側面を滑るようにして左右外方に押しやられる。
【００４０】
すなわち、薬液注入爪３１は、土壌消毒機１の爪支持板４６に上下のボルト４７・４８によって支持して取り付け、上下のボルト４７・４８のうちの一方を他方に比べて低強度とするので、たとえ土壌内の石等の障害物１２０が薬液注入爪３１に衝突しても、低強度のボルト、本実施例ではボルト４７の方が先に折損し、折損せずに残った高強度のボルト４８を中心にして薬液注入爪３１が回動し、障害物１２０を左右外方に押しやることができ、衝突時に薬液注入爪３１が受ける衝撃力を軽減して破損を確実に防ぐことができる。
【００４１】
次に、薬液ポンプ３６の駆動構成について詳細に説明する。なお、以下では、最も左側に配置された薬液ポンプ３６とその駆動構成について説明するが、当該駆動構成は、他の薬液ポンプ３６の駆動構成についても同様である。
【００４２】
図３及び図６に示すように、薬液ポンプ３６において、ダイヤフラム８０が、弁取付部材８０ａとダイヤフラム取付部材８０ｂとによって上下から挟持固定され、このうちの弁取付部材８０ａからは、ダイヤフラム８０内に連通する吸入ポート８１と吐出ポート８２とが上方に突設され、吸入ポート８１と吐出ポート８２とは、それぞれ吸入ホース４３と吐出ホース４４とに接続されている。ダイヤフラム取付部材８０ｂは、ポンプ支持ステー３５に固設されるポンプ支持台３５ａに固設される。一方、ダイヤフラム８０の中央下部からは、往復移動体である連結ロッド８３が垂設され、連結ロッド８３の下部が、ポンプ支持台３５ａ及びポンプ支持ステー３５に挿通され、連結ロッド８３の下端は、ピン支持部８３ａを介して、連結ピン８４によりポンプレバー８５の中途部に回動自在に連結されている。ポンプ支持台３５ａとピン支持部８３ａとの間には、ポンプスプリング８６が配設され、その付勢力により、ピン支持部８３ａが下方に付勢される。そして、連結ピン８４には、カムフォロワー８７が設けられている。
【００４３】
ポンプレバー８５の前部は、駆動輪支持フレーム３３の両側に横架されたレバー軸８８に軸支されており、レバー軸８８を支点としてポンプレバー８５を上下回動可能としている。一方、ポンプレバー８５の後部は、後方に延設されている。
【００４４】
駆動輪３８の回動中心となる駆動輪軸３８ａの右端部には、カム８９が固設され、当該駆動輪軸３８ａには、駆動輪回動軸３７が挿通される。このようにして、ポンプスプリング８６の付勢力により、カムフォロワー８７を常に下方に付勢し、カム８９に対してカムフォロワー８７を付勢状態で当接できるようにしている。
【００４５】
このような構成において、駆動輪３８が土壌の上を転がりながら駆動すると、駆動輪軸３８ａを介して、薬液ポンプ３６のカム８９が回転駆動され、カム８９の外周に当接したカムフォロワー８７が上下動し、ピン支持部８３ａ及び連結ロッド８３を介してダイヤフラム８０を上下動させることができ、ダイヤフラム８０の往復駆動により、薬液を薬液タンク２８から吸入して薬液注入爪３１の薬液ノズル３２に圧送することができる。
【００４６】
カム８９は、基礎円８９ｂの外周に、４つのカム凸部８９ａが等間隔で形成されている。ただし、カム凸部８９ａの数は限定するものではなく、それぞれ、３つ以下でも５つ以上でも構わない。
【００４７】
また、ポンプレバー８５の後端には、レバーハンドル８５ａが形成され、レバーハンドル８５ａを握り、ポンプレバー８５を上下方向に回動させることにより、薬液ポンプ３６を手動で駆動することができる。
【００４８】
これにより、駆動源となる駆動輪３８を回動させることなく薬液ポンプ３６を個々に作動させることが可能となり、作業前や作業中に手動でエア抜きが可能となる。これによって、本実施例のように、複数の薬液ポンプ３６を並列運転可能に構成した場合であっても、エア抜きが必要な薬液ポンプ３６のみを作動させることができる。すなわち、エア抜きの際に駆動輪３８を回動させて全ての薬液ポンプ３６を同時に作動させる必要が無く、無駄な薬液の消費を防止することができる。
【００４９】
また、ポンプレバー８５の後部下方には、制限板９０が横設され、制限板９０の左右方向略中央部には、調節ロッド９１が上下方向に螺挿され、調節ロッド９１は、駆動輪支持フレーム３３の後部に固設された側面視コ字状の制限板取付部材９２の上下面を貫通するように設けられている。
【００５０】
そして、調節ロッド９１の下部には、ロックナット９１ａと締付ナット９１ｂが上下に螺嵌される。一方、調節ロッド９１の上部は、制限板取付部材９２の上面に係止されるとともに、調節ロッド９１の上端には、把手９３が設けられ、把手９３と制限板取付部材９２の上面との間の調節ロッド９１の外周には、バネ９４が外嵌されており、バネ９４の付勢力により、調節ロッド９１を常に上方へと付勢することができる。
【００５１】
さらに、制限板９０の左右両側には、調整ボルト９５・９５が螺挿され、調整ボルト９５の上端には、レバーハンドル８５ａに形成された突起部８５ｂが当接できるようにしている。そして、調整ボルト９５上で制限板９０直下の部分には、ロックナット９５ａが螺嵌されている。
【００５２】
制限板取付部材９２の後面には、目盛板９６が取り付けられ、目盛板９６の後面視略中央部には、目盛板９６の目盛に沿うように上下方向に長い開口部９２ａが形成される。そして、制限板９０の後面視略中央には、この目盛板９６の目盛に一致させるための図示せぬ刻印が形成されている。
【００５３】
このような構成において、把手９３を握って調節ロッド９１を所定方向に回転させて制限板９０を上方に移動させると、ポンプレバー８５が、レバー軸８８を支点とし、調整ボルト９５を介して上方に回動され、薬液ポンプ３６の下死点も上方に移動する。これにより、ストロークが短くなって、薬液ポンプ３６の薬液注入量を低減させることができる。
【００５４】
逆に、把手９３を握って調節ロッド９１を前記所定方向とは反対方向に回転させて制限板９０を下方に移動させると、ポンプレバー８５が、レバー軸８８を支点とし、それぞれ調整ボルト９５を介して下方に回動され、薬液ポンプ３６の下死点は下方に移動する。これにより、ストロークが長くなって、薬液ポンプ３６の薬液注入量を増加させることができる。つまり、制限板９０の上下位置を調節することにより、薬液注入量を自在に変更できるようにしている。
【００５５】
このように調節ロッド９１により設定したポンプレバー８５の上下方向位置は、調整ボルト９５を回転させることにより、さらに微調整することができ、これにより、ダイヤフラム８０の個々の特性に起因する個々の薬液ポンプ３６の薬液注入量の差違をなくすようにしている。
【００５６】
さらに、ロックナット９１ａと締付ナット９１ｂを締結することにより、制限板９０を所定の上下位置に移動させた状態で、調節ロッド９１が回転しないように固定するとともに、ロックナット９５ａを締結することにより、ポンプレバー８５の上下位置を調整した状態で、調整ボルト９５が回転しないように固定することができ、設定した薬液ポンプ３６の薬液注入量が変動しないようにしている。なお、本実施形態に係る土壌消毒機１は、駆動輪３８を回転駆動することにより薬液ポンプ３６を作動させる構成としたが、モータの駆動力により薬液ポンプ３６を作動させる構成であってもよい。
【００５７】
次に、第一実施形態に係る均平板５５及び分配部１００の構成について詳細に説明する。
【００５８】
図７に示すように、均平板５５の上端部は後方へ向けて折り曲げられており、下端部は前方へ向けて折り曲げられている。均平板５５の左右方向中央部近傍には、ボルト等の締結具を挿通するための左右一対の取付孔５５ｂ・５５ｂが穿設される。
【００５９】
分配部１００は、板状の部材を左右中央部で折り曲げることにより形成された分配部材１１０により構成されており、当該分配部材１１０は、平面視において後方から前方に向かって左右幅が小さくなるような、また、側面視において後方から前方に向かって高さが低くなるような、先鋭形状に構成される。このように、分配部材１１０は左右一対の左側面１１１と右側面１１２を有する部材に形成される。また、分配部材１１０の左側面１１１及び右側面１１２の後端には、それぞれ均平板５５に平行となるように、取付部１１１ａ・１１２ａが形成され、取付部１１１ａ・１１２ａには、ボルト等の締結具を挿通するための取付孔１１１ｂ・１１２ｂがそれぞれ穿設される。
【００６０】
そして、均平板５５の取付孔５５ｂ・５５ｂと、分配部材１１０の取付孔１１１ｂ・１１２ｂとが重なるように、均平板５５の前側面に分配部材１１０が当接された状態で、ボルトやナット等の締結具によって分配部材１１０が均平板５５に取り付けられる。
【００６１】
分配部材１１０が均平板５５に取り付けられた場合、分配部材１１０は均平板５５の左右方向中央部に位置するように構成される。また、分配部材１１０の下端の高さは、均平板５５の下端の高さより高くなるように構成される（図８（ａ）のＨ参照）とともに、分配部材１１０の左右方向幅は、トラクタの後輪９・９間の幅と略同一となるように構成される。
【００６２】
このような構成において、図８に示すように、土壌消毒機１がトラクタ２により牽引された場合、トラクタ２の後輪９・９が土壌を踏みながら進行するため、土壌は後輪９・９を避けるように後輪９・９の左右に流動する。後輪９・９が通過した部分の土壌は当該後輪９・９により踏み固められるため、溝状の轍１３１・１３１が形成される。後輪９・９により踏み固められた轍１３１・１３１部分の土壌は、左右のサブソイラ３０・３０によって掘り返され、再び軟らかい土壌にされるが、これによって当該左右のサブソイラ３０・３０間には、土壌が寄せられ高く積みあがった状態の寄り土部１３０が形成される。
【００６３】
トラクタ２の後方において、分配部材１１０は、その前端部によって寄り土部１３０を崩しながら当該寄り土部１３０を形成する土壌を左右方向に分配するとともに、所定量の土壌をその下方から後方向へと通過させる。左右方向に分配された土壌は、分配部材１１０に案内されて左右の轍１３１へと流入し、当該轍１３１が土壌により埋められる。その後、左右方向に分配された土壌及び分配部材１１０の下方から後方向へと通過した土壌は、均平板５５の下端によって均平に均される。ここで、前記所定量とは、左右方向に分配した土壌と分配部材１１０の下方を通して後方向に分配した土壌とによって、均平板５５の左右幅全域に土壌を分配できる程度の量である。
【００６４】
上記の如く、まず寄り土部１３０を形成する土壌を分配部材１１０によって崩しながら分配することで、その後均平板５５によって土壌をより均平に均すことができる。また、寄り土部１３０を形成する土壌を分配部材１１０によって轍１３１へと流入させることで、土壌の量が多い場所（寄り土部１３０）から少ない場所（轍１３１）へと、土壌を効果的に分配することができる。これによって、均平板５５のみで土壌を均す場合に比べて、効果的に轍１３１をなくし、圃場をより均平に均すことができる。また、圃場条件（土壌に含まれる水分量等）によっては、サブソイラ３０・３０を用いることなく、分配部材１１０及び均平板５５のみで轍１３１をなくすことができる。
【００６５】
また、分配部材１１０の下方からも、所定量の土壌を後方向へと通過させることができるため、均平板５５の左右部分のみならず、中央部分にも土壌を分配することができる。これによって、均平板５５の左右幅全域に土壌を分配し、圃場をより均平に均すことができる。さらに、分配部材１１０の下端の高さは、均平板５５の下端の高さより高く、かつ均平板５５に取り付けてあるので、分配部材１１０によって不要な溝を形成することがなく、圃場をより均平に均すことができる。
【００６６】
また、均平板５５の下端は前方へ向けて折り曲げられているため、土壌を掬うようにしながら左右方向へ効果的に広げることができ、圃場をより均平に均すことができる。また、均平板５５はスプリング５８により下方に向かって付勢されているため、圃場面に追従しながら圃場の均平を行うことができる。また、圃場の均平中に、均平板５５及び分配部材１１０に対して一定以上の負荷が加わると、スプリング５８の付勢力に抗して当該均平板５５及び分配部材１１０が後方へと回動する。これによって、均平板５５及び分配部材１１０が土壌を多量に抱えて変形したり、トラクタ２がスリップしたりすることを防止することができる。さらに、スプリング５８の取り付け位置を変更したり、スプリング５８の種類を変更したりすることで、土壌の凹凸や硬さ等に応じて均平板５５に対する付勢力を調節することができる。
【００６７】
なお、本実施形態においては、分配部材１１０の下方から土壌を後方へと通過させる構成としたが、これに限るものではない。例えば、分配部材１１０の左右中央部に土壌を通過させるための切り欠きを形成し、当該切り欠きを通して土壌を後方向へと通過させる構成とすることも可能である。この場合、前記切り欠きは、所定量の土壌を滑らかに後方向へと通過させることが可能な程度の幅もしくは形状に形成されることが望ましい。
【００６８】
以下では、第二実施形態に係る均平板２５５及び分配部２００の構成について説明する。
【００６９】
図９に示すように、分配部２００は、略三角形状の板材である左側板２１１及び右側板２１２により構成される。左側板２１１の後端には、均平板２５５に平行となるように取付部２１１ａが形成され、取付部２１１ａには、ボルト等の締結具を挿通するための取付孔２１１ｂ・２１１ｂが穿設される。右側板２１２の形状は、左側板２１１の形状と左右対称となるように形成される。右側板２１２の後端には取付部２１２ａが形成され、当該取付部２１２ａには取付孔２１２ｂ・２１２ｂが穿設される。左側板２１１と右側板２１２とは、その一辺２１１ｃ・２１２ｃを互いに当接させた状態で、ボルトやナット等の締結具によって均平板２５５に取り付けられる。均平板２５５に取り付けられた分配部２００は、均平板２５５の左右方向中央部に位置するように構成される。また、分配部２００の下端の高さは、均平板２５５の下端の高さより高くなるように構成されるとともに、分配部２００の左右方向幅は、トラクタ２の後輪９・９間の幅と略同一となるように構成される。
【００７０】
均平板２５５には、分配部２００を締結するための締結具を挿通するための取付孔２５５ｂ・２５５ｂ・・・が穿設される。また、左側板２１１と右側板２１２とが成す角を変更（本実施形態では、前記成す角を大きく）した状態で均平板２５５に取り付けることができるように、さらに別の取付孔２５５ｃ・２５５ｃ・・・も穿設されている。
【００７１】
このような構成において、図１０（ａ）に示すように、トラクタ２の後方において、分配部材１１０は、その前端部によって寄り土部１３０を崩しながら当該寄り土部１３０を形成する土壌を左右方向に分配するとともに、所定量の土壌をその下方から後方向へと通過させる。左右方向に分配された土壌は、分配部材１１０に案内されて左右の轍１３１へと流入し、当該轍１３１が土壌により埋められる。その後、左右方向に分配された土壌及び分配部材１１０の下方から後方向へと通過した土壌は、均平板２５５の下端によって均平に均される。
【００７２】
また、図９に示すように、左側板２１１と右側板２１２が取り付けられる取付孔２５５ｂ・２５５ｂ・・・を、取付孔２５５ｃ・２５５ｃ・・・に変更することにより、分配部２００の左右方向幅をＷｓからＷＬへと広くすることができる（図１０参照）。これによって、土壌消毒機１を、左右の後輪９・９の間隔が広いトラクタ２に装着した場合であっても、寄り土部１３０を形成する土壌を確実に轍１３１へと流入させることができる。このように、土壌消毒機１が装着されるトラクタ２の後輪９・９間の距離に応じて分配部２００の左右方向幅を調節することにより、後輪９・９間の距離が異なるトラクタ２であっても、轍１３１に土壌を流入させることができ、圃場を均平に均すことができる。
【００７３】
なお、本実施形態においては、２種類の取付孔を均平板２５５に穿設する構成としたが、さらに多くの取付孔を穿設し、分配部の左右方向幅をより細かく調節することが可能な構成とすることもできる。さらに、後輪９・９間の距離や圃場状態に応じて異なる形状の左側板２１１及び右側板２１２に付け替える構成とすることも可能である。
【００７４】
また、本実施形態に係る左側板２１１及び右側板２１２は、土壌の抵抗力により屈曲や変形しない程度の強度を持つ材料又は板厚で形成されるものとするが、他の板材等により補強して屈曲や変形を防止する構成とすることも可能である。
【００７５】
また、本実施形態に係る左側板２１１と右側板２１２とを、ヒンジで連結した構成とすることも可能である。これによって、当該左側板２１１と右側板２１２との成す角の調節が容易となる。さらに、左側板２１１及び右側板２１２を均平板２５５から取り外した際には、当該左側板２１１及び右側板２１２が一体的に連結されているため、持ち運びや保管を容易に行うことができる。
【００７６】
以下では、第三実施形態に係る均平板５５及び分配部３００の構成について説明する。
【００７７】
図１１に示すように、分配部３００は、板状の部材を左右中央部で折り曲げることにより形成された分配部材３１０、並びに略三角形状の板材である左突出板３２０及び右突出板３３０により構成される。分配部材３１０は、第一実施形態に係る分配部材１１０の左側面１１１及び右側面１１２に、それぞれ左突出板３２０及び右突出板３３０を締結するための取付孔１１１ｄ・１１１ｄ・・・及び取付孔１１２ｄ・１１２ｄ・・・をそれぞれ穿設することにより形成されたものである。
【００７８】
左突出板３２０及び右突出板３３０には、長孔３２１及び長孔３３１がそれぞれ形成される。左突出板３２０及び右突出板３３０の長孔３２１・３３１と、分配部材３１０の左側面１１１及び右側面１１２の取付孔１１１ｄ・１１１ｄ・・・及び取付孔１１２ｄ・１１２ｄ・・・とがそれぞれ重なるように当接された状態で、ボルトやナット等の締結具によって、左突出板３２０及び右突出板３３０が分配部材３１０に取り付けられる。
【００７９】
分配部材３１０の左側面１１１には、３つの取付孔１１１ｄ・１１１ｄ・・・が穿設され、当該取付孔１１１ｄ・１１１ｄ・・・は同一円周上に配置される。さらに左突出板３２０に形成される長孔３２１は、分配部材３１０の左側面１１１に穿設された取付孔１１１ｄ・１１１ｄ・・・と同一円周上に沿う形状となるように形成される。分配部材３１０の右側面１１２にも、左側面１１１と同様に、３つの取付孔１１２ｄ・１１２ｄ・・・が同一円周上に配置され、右突出板３３０に形成される長孔３３１も、右側面１１２の取付孔１１２ｄ・１１２ｄ・・・と同一円周上に沿う形状となるように形成される。
【００８０】
このような構成において、図１１（ａ）に示すように、左突出板３２０の長孔３２１が左側面１１１の取付孔１１１ｄ・１１１ｄ・・・のうち上側２つの取付孔１１１ｄ・１１１ｄに重なるように当接された状態で、分配部材３１０に取り付けられた場合、当該左突出板３２０が分配部材３１０の左側面１１１から下方に突出することはない。右突出板３３０も同様に、右突出板３３０の長孔３３１が右側面１１２の取付孔１１２ｄ・１１２ｄ・・・のうち上側２つの取付孔１１２ｄ・１１２ｄに重なるように当接された状態で、分配部材３１０に取り付けられた場合、当該右突出板３３０が分配部材３１０の右側面１１２から下方に突出することはない。
【００８１】
このような状態で、土壌消毒機１がトラクタ２により牽引された場合、均平板５５及び分配部３００は、第一実施形態と同様に、圃場を均平に均すことができる。
【００８２】
図１１（ｂ）に示すように、左突出板３２０の長孔３２１が左側面１１１の取付孔１１１ｄ・１１１ｄ・・・のうち下側２つの取付孔１１１ｄ・１１１ｄに重なるように当接された状態で、分配部材３１０に取り付けられた場合、当該左突出板３２０の前側の頂点部３２２が、分配部材３１０の左側面１１１に沿って、当該左側面１１１の下端の一部から下方に突出する。右突出板３３０も同様に、右突出板３３０の長孔３３１が右側面１１２の取付孔１１２ｄ・１１２ｄ・・・のうち下側２つの取付孔１１２ｄ・１１２ｄに重なるように当接された状態で、分配部材３１０に取り付けられた場合、当該右突出板３３０の前側の頂点部３３２が、分配部材３１０の右側面１１２に沿って、当該右側面１１２の下端の一部から下方に突出する。
【００８３】
このような状態で、土壌消毒機１がトラクタ２により牽引された場合、トラクタ２の後方において、分配部材３１０は、その前端部によって寄り土部１３０を崩しながら、当該寄り土部１３０を形成する土壌を左右方向に分配するとともに、所定量の土壌をその下方から後方向へと通過させる。さらに、左突出板３２０及び右突出板３３０の頂点部３２２・３３２によって、寄り土部１３０を形成する土壌が左右方向に分配される。このように、分配部材３１０のみの場合に比べて土壌と接する面積を大きくすることで、左右に分配される土壌の量を増加させることができる。これによって、轍１３１が深い場合等には、当該轍１３１に流入する土壌を増加させ、より効果的に轍１３１を埋めることができ、ひいては圃場をより均平に均すことができる。また、後輪９・９間の距離に応じて左突出板３２０及び右突出板３３０の取り付け角度を調節することで、より効果的に轍１３１を埋めることができる。
【００８４】
また、左突出板３２０及び右突出板３３０を長孔３２１・３３１で分配部材３１０に取り付ける構成とすることにより、当該左突出板３２０及び右突出板３３０の取り付け角度を当該長孔３２１・３３１の範囲で微調節することもできる。これによって、土壌の湿り具合や轍１３１の深さ等、圃場の条件に合わせて、左右に分配される土壌の量を微調節することが可能となる。なお、分配部材の取付孔１１１ｄ・１１２ｄの個数を増減することによって、左突出板３２０及び右突出板３３０の取り付け角度の調節可能な範囲を変更することも可能である。
【００８５】
なお、均平板５５の左右幅全域に土壌を分配するために、左突出板３２０及び右突出板３３０を下方へ突出させた場合であっても、分配部材３１０の左右のみならず、下方からも後方向へと所定量の土壌を通過させる構成とすることが望ましい。また、左突出板３２０及び右突出板３３０の形状や取り付け位置の変更方法は、本実施形態に限定するものではなく、土壌と接する面積を変更することができる構成であればよい。
【００８６】
以下では、第四実施形態に係る均平板４５５及び分配部１００の構成について説明する。
【００８７】
図１２に示すように、分配部１００は、第一実施形態と同様に、板状の部材を左右中央部で折り曲げることにより形成された分配部材１１０により構成されている。均平板４５５の左右方向中央部近傍、及び左右両端部近傍には、ボルト等の締結具を挿通するための取付孔４５５ｂ・４５５ｂ及び取付孔４５５ｃ・４５５ｃ・・・が穿設される。
【００８８】
均平板４５５には、左右一対の左補助板４１０及び右補助板４２０が取り付けられる。左補助板４１０は、略三角形状の板材であり、その後端には、均平板４５５に平行となるように取付部４１１が形成され、取付部には、ボルト等の締結具を挿通するための取付孔４１２・４１２が穿設される。左補助板４１０の取付孔４１２・４１２と、均平板４５５の左端部近傍の取付孔４５５ｃ・４５５ｃとがそれぞれ重なるように当接された状態で、ボルトやナット等の締結具によって、左補助板４１０が均平板４５５に取り付けられる。左補助板４１０が均平板４５５に取り付けられた場合、左補助板４１０の前端部は左前方に向かって延設される。また、左補助板４１０の右端部は、トラクタ２の左の後輪９の後方に位置するように配置される。
【００８９】
右補助板４２０は、略三角形状の板材であり、その後端には、均平板４５５に平行となるように取付部４２１が形成され、取付部４２１には、ボルト等の締結具を挿通するための取付孔４２２・４２２が穿設される。右補助板４２０の取付孔４２２・４２２と、均平板４５５の右端部近傍の取付孔４５５ｃ・４５５ｃとがそれぞれ重なるように当接された状態で、ボルトやナット等の締結具によって、右補助板４２０が均平板４５５に取り付けられる。右補助板４２０が均平板４５５に取り付けられた場合、右補助板４２０の前端部は右前方に向かって延設される。また、右補助板４２０の左端部は、トラクタ２の右の後輪９の後方に位置するように配置される。
【００９０】
このような構成において、図１３に示すように、トラクタ２の後方において、分配部材１１０は、その前端部によって寄り土部１３０を崩しながら、当該寄り土部１３０を形成する土壌を左右方向に分配するとともに、所定量の土壌をその下方から後方向へと通過させる。左右方向に分配された土壌は、分配部材１１０に案内されて左右の轍１３１へと流入し、当該轍１３１が土壌により埋められる。
【００９１】
さらに、左の後輪９によって形成された轍１３１の左側の土壌は、左補助板４１０によって、当該轍１３１に流入するように案内される。また、右の後輪９によって形成された轍１３１の右側の土壌は、右補助板４２０によって、当該轍１３１に流入するように案内される。その後、左右方向に分配された土壌及び分配部の下方から後方向へと通過した土壌は、均平板４５５の下端によって均平に均される。
【００９２】
上記の如く、左補助板４１０及び右補助板４２０を配置することによって、均平板４５５の両端からその内側へと土壌を導くことができ、土壌が均平板４５５の外側に流出することを防止し、当該均平板４５５によって圃場を確実に均すことができる。また、轍１３１の外側の土壌を当該轍１３１に流入させることができ、土壌をより効果的に轍１３１に流入させることができる。これによって、轍１３１の外側の土壌が盛り上がっている場合や、轍１３１の外側に土壌の凹凸がある場合等には、圃場をより均平に均すことができる。
【００９３】
なお、本実施形態に係る左補助板４１０及び右補助板４２０は、土壌の抵抗力により屈曲や変形しない程度の強度を持つ材料又は板厚で形成されるものとするが、他の板材等により補強して屈曲や変形を防止する構成とすることも可能である。
【００９４】
次に、土壌消毒機１をトラクタ２に連結する方法について説明する。なお、図１５から図１９においては、説明の便宜上、サブソイラ３０や薬液注入爪３１等の部材、及びボルトやナット等の締結具の図示を適宜省略している。
【００９５】
図１４に示すように、土壌消毒機１は、トラクタ２に連結されていない場合、スタンド１５０によって支持されている。スタンド１５０は、上下方向に立設されたスタンドフレーム１５１と、スタンドフレーム１５１の下部を支持するスタンドフレーム基部１５２により構成される。なお、以下では、土壌消毒機１の左部に連結されるスタンド１５０についてのみ説明するが、右部にも同様の構成のスタンド１５０が連結される。
【００９６】
スタンドフレーム１５１はパイプ材により形成され、その上端部近傍には、スタンドフレーム１５１を左右方向に貫通する２つの上部取付孔１５１ａ・１５１ａが上下に並んで穿設されるとともに、その下端部近傍には、スタンドフレーム１５１を左右方向に貫通する２つの下部取付孔１５１ｂ・１５１ｂが上下に並んで穿設される。
【００９７】
スタンドフレーム基部１５２は前後方向に横設されたパイプ材により形成され、その前後中途部には、一対の連結板１５３・１５３が固設される。連結板１５３・１５３の上端部近傍には、連結板１５３・１５３を左右に貫通する１つの上部取付孔１５３ａが穿設される。連結板１５３・１５３の下端部近傍には、上部取付孔１５３ａの垂直下方において連結板１５３・１５３を左右に貫通する１つの第一下部取付孔１５３ｂ、及び、第一下部取付孔１５３ｂの後方において連結板１５３・１５３を左右に貫通する１つの第二下部取付孔１５３ｃが前後に並んで穿設される。また、スタンドフレーム基部１５２の前後両端下部には、車輪１５２ａ・１５２ａが固設される。
【００９８】
スタンドフレーム１５１の下部は、スタンドフレーム基部１５２の連結板１５３・１５３間に挿通され、スタンドフレーム１５１の２つの下部取付孔１５１ｂ・１５１ｂと、スタンドフレーム基部１５２の上部取付孔１５３ａ及び第一下部取付孔１５３ｂと、をそれぞれ重ねた状態でボルト１５４やナット１５５等により締結される。また、スタンドフレーム１５１の上部は、メインフレーム２１Ｌと、メインフレーム２１Ｌの前後中途部に固設されたスタンド取付部２２と、の間に挿通され、スタンドフレーム１５１の下側の上部取付孔１５１ａと、スタンド取付部２２に穿設された取付孔２２ａと、を重ねた状態で、当該上部取付孔１５１ａ及び取付孔２２ａにピン１５６を挿通することで連結される。
【００９９】
図１５に示すように、スタンドフレーム１５１の下側の上部取付孔１５１ａを用いて、スタンド１５０をメインフレーム２１Ｌに連結することで、土壌消毒機１の高さを低く抑えることができる。これによって、土壌消毒機１の運搬時や保管時の省スペース化を図ることができる。
【０１００】
土壌消毒機１をトラクタ２のクイックフレーム６に連結する場合、図１６に示すように、まず、スタンドフレーム１５１の上側の上部取付孔１５１ａを用いて、スタンド１５０をメインフレーム２１Ｌに連結する。これによって、土壌消毒機１を高い位置で支持することができる。
【０１０１】
次に、図１７に示すように、スタンドフレーム基部１５２の第一下部取付孔１５３ｂに締結されたボルト１５４やナット１５５を外し、スタンドフレーム１５１を前方に傾斜させ、スタンドフレーム１５１の下側の下部取付孔１５１ｂが、スタンドフレーム基部１５２の第二下部取付孔１５３ｃと重なった状態で、ボルト１５４やナット１５５等により締結する。これによって、土壌消毒機１が前方に傾斜した状態でスタンド１５０に支持される。
【０１０２】
次に、図１８に示すように、昇降機構３が具備するクイックフレーム６の上部切り欠き部７ａを、土壌消毒機１のトップリンクマスト１３に横架される連結ピン１３ａの下方に位置するように、土壌消毒機１を移動させる。なお、この位置を合わせる作業は、土壌消毒機１を移動させる他、トラクタ２を移動させて行うことも可能である。
【０１０３】
最後に、図１９に示すように、昇降機構３を上昇させることで、上部切り欠き部７ａに連結ピン１３ａが係止され、さらに昇降機構３を上昇させることで、クイックフレーム６の下部切り欠き部８ａに連結ピン１１ａが係止される。この後、作業を行う場合は、スタンド１５０を取り外す。このように、クイックフレーム６を装着したトラクタ２を用いた場合、土壌消毒機１を前方に傾斜させ、クイックフレーム６の位置合わせを行い、昇降機構３を上昇させるだけで、容易に土壌消毒機１をトラクタ２に装着することができる。
【符号の説明】
【０１０４】
１      土壌消毒機
２      トラクタ（牽引走行車）
６      クイックフレーム
１０    装着部
２０    薬液注入部
５０    土壌均平部
５５    均平板
１００  分配部
１１０  分配部材
１５０  スタンド
２００  分配部
２５５  均平板
３００  分配部
３１０  分配部材
３２０  左突出板
３３０  右突出板
４１０  左補助板
４２０  右補助板
４５５  均平板
【図１】
2011067109.tif 000003
【図２】
2011067109.tif 000004
【図３】
2011067109.tif 000005
【図４】
2011067109.tif 000006
【図５】
2011067109.tif 000007
【図６】
2011067109.tif 000008
【図７】
2011067109.tif 000009
【図８】
2011067109.tif 000010
【図９】
2011067109.tif 000011
【図１０】
2011067109.tif 000012
【図１１】
2011067109.tif 000013
【図１２】
2011067109.tif 000014
【図１３】
2011067109.tif 000015
【図１４】
2011067109.tif 000016
【図１５】
2011067109.tif 000017
【図１６】
2011067109.tif 000018
【図１７】
2011067109.tif 000019
【図１８】
2011067109.tif 000020
【図１９】
2011067109.tif 000021